(57)【要約】【課題】  より薄型軽量であり、点光源からの光を無駄なく電気光学パネルに供給できる照明装置、電気光学装置及びその電気光学装置を用いた電子機器を提供すること。【解決手段】  液晶装置１の導光板３４を点光源３３からの光を受ける受光部４２とその受光部４２からの光を射出する面と反射する面とを有する本体部４３とを一体的に備え、受光部４２を該射出面４７に連続する第１の傾斜面４４と反射面４８に連続する第２の傾斜面４５とで互いに窄まるように形成したので、本体部４３の厚さを受光部４２の点光源側の厚さより薄くすることができる。その結果、その薄くなった所に光学シート、例えばプリズムシート３５等を配置すれば液晶装置１としての厚さをその光学シート分薄くすることができる。【選択図】  図１
2005339956.tif 000002
【特許請求の範囲】
【請求項１】
光を発する点光源と、
前記点光源からの光を受ける受光部と、その受光部の前記点光源と反対側に隣接し該受光部からの光の射出面及び反射面を有する本体部とを一体的に備え、前記受光部は、前記射出面及び反射面の夫々に連続し前記点光源側から本体部側に向かって互いに窄まるように形成された第１及び第２の傾斜面を有し、その第１及び第２の傾斜面が前記点光源側から前記本体部側に向かって平面的に左右に広がるように形成されている導光板と、
少なくとも前記射出面及び反射面上に配置され、前記点光源側から本体部側に向かい前記受光部の点光源側端面より所定の距離だけ離間している光学シートと
を具備することを特徴とする照明装置。
【請求項２】
前記本体部の反射面は、該反射面と連続する前記第２の傾斜面より傾斜角度が小さい第３の傾斜面により形成されていることを特徴とする請求項１に記載の照明装置。
【請求項３】
光を発する点光源と、前記点光源からの光を受ける受光部とその受光部の前記点光源と反対側に隣接し該受光部からの光の射出面及び反射面を有する本体部とを一体的に備え、前記受光部は、前記射出面及び反射面の夫々に連続し前記点光源側から本体部側に向かって互いに窄まるように形成された第１及び第２の傾斜面を有し、その第１及び第２の傾斜面が前記点光源側から前記本体部側に向かって平面的に左右に広がるように形成されている導光板と、少なくとも前記射出面及び反射面上に配置され、前記点光源側から本体部側に向かい前記受光部の点光源側端面より所定の距離だけ離間している光学シートとを備える照明装置と、
前記照明装置から光を受ける電気光学材料を保持する基板を備えた電気光学パネルと
を具備することを特徴とする電気光学装置。
【請求項４】
前記本体部の反射面は、該反射面と連続する前記第２の傾斜面より傾斜角度が小さい第３の傾斜面により形成されていることを特徴とする請求項３に記載の電気光学装置。
【請求項５】
前記受光部は、前記電気光学パネルの有効表示領域を除く領域に対応するように配置されていることを特徴とする請求項３又は請求項４に記載の電気光学装置。
【請求項６】
前記光学シートは、前記反射面上に反射シートが配置され、前記射出面上に拡散シート及びプリズムシートが配置されており、夫々前記点光源側端面より受光部分だけ離間していることを特徴とする請求項３から請求項５のうちいずれか一項に記載の電気光学装置。
【請求項７】
前記第１及び第２の傾斜面は、外部へ射出する光を反射する反射層が形成されていることを特徴とする請求項３から請求項６のうちいずれか一項に記載の電気光学装置。
【請求項８】
前記点光源は発光ダイオードであり、前記受光部の前記本体部側と反対側に複数配置されていることを特徴とする請求項３から請求項７のうちいずれか一項に記載の電気光学装置。
【請求項９】
前記点光源の前記導光板と反対側に、前記導光板からの戻り光を反射する反射部を更に備えることを特徴とする請求項３から請求項８のうちいずれか一項に記載の電気光学装置。
【請求項１０】
前記基板は、前記電気光学材料を駆動するＩＣが配置された張出し部を有し、
前記張出し部は、前記受光部に平面的に重なるように配置されていることを特徴とする請求項３から請求項９のうちいずれか一項に記載の電気光学装置。
【請求項１１】
光を発する光源と、
前記光源からの光を受ける受光部と、その受光部の前記光源と反対側に隣接し該受光部からの光の射出面及び反射面を有する本体部とを一体的に備え、前記受光部と本体部との境界に前記受光部の厚さより前記本体部の厚さが薄くなるように段部が形成されている導光板と
を具備することを特徴とする照明装置。
【請求項１２】
前記光源は点光源であり、前記受光部は、前記本体部の射出面及び反射面の夫々に前記境界を介して平面的に隣接し相対向する第１及び第２の面を有し、その第１及び第２の面が前記点光源側から前記本体部側に向かって平面的に左右に広がるように形成されていることを特徴とする請求項１１に記載の照明装置。
【請求項１３】
光を発する光源と、前記光源からの光を受ける受光部とその受光部の前記光源と反対側に隣接し該受光部からの光の射出面及び反射面を有する本体部とを一体的に備え、前記受光部と本体部との境界に前記受光部の厚さより前記本体部の厚さが薄くなるように段部が形成されている導光板とを備える照明装置と、
前記照明装置から光を受ける電気光学材料を保持する基板を備えた電気光学パネルと
を具備することを特徴とする電気光学装置。
【請求項１４】
前記光源は点光源であり、前記受光部は、前記本体部の射出面及び反射面の夫々に前記境界を介して平面的に隣接し相対向する第１及び第２の面を有し、その第１及び第２の面が前記点光源側から前記本体部側に向かって平面的に左右に広がるように形成されていることを特徴とする請求項１３に記載の電気光学装置。
【請求項１５】
前記点光源は発光ダイオードであり、前記受光部の前記本体部側と反対側に複数配置されていることを特徴とする請求項１４に記載の電気光学装置。
【請求項１６】
請求項３から請求項１０と請求項１３から請求項１５のうちいずれか一項に記載の電気光学装置を備えたことを特徴とする電子機器。
【発明の詳細な説明】
【技術分野】
【０００１】
本発明は、パーソナルコンピュータや携帯電話機に用いられる照明装置、電気光学装置及びその電気光学装置を用いた電子機器に関する。
【背景技術】
【０００２】
従来、パーソナルコンピュータや携帯電話機といった電子機器の表示装置として液晶装置等の電気光学装置が広く用いられており、その液晶装置の液晶パネルに光を照射する照明装置として例えば導光板を用いたもの等が知られている。
【０００３】
しかし、パーソナルコンピュータや携帯電話機等はより小型化、薄型化及び軽量化が求められており、その小型化、薄型化を目的として導光板を楔形にし、その厚さの薄い領域に電源等を配置した表示装置等が提案されている（例えば、特許文献１参照。）  。
【特許文献１】特開２００１−７５０９３号公報（段落[０００５]から[００２４]、図２）。
【発明の開示】
【発明が解決しようとする課題】
【０００４】
しかしながら上述の表示装置により表示装置の小型化、薄型化を図ることがある程度できたが、より更なる照明装置や電気光学装置の小型化、薄型化及び軽量化を図らなければならないという問題が生じていた。
【０００５】
本発明は、上述の課題に鑑みてなされるもので、より薄型軽量であり、点光源からの光を無駄なく電気光学パネルに供給できる照明装置、電気光学装置及びその電気光学装置を用いた電子機器を提供することを目的とする。
【課題を解決するための手段】
【０００６】
上記目的を達成するために、本発明の主たる観点に係る照明装置は、光を発する点光源と、前記点光源からの光を受ける受光部と、その受光部の前記点光源と反対側に隣接し該受光部からの光の射出面及び反射面を有する本体部とを一体的に備え、前記受光部は、前記射出面及び反射面の夫々に連続し前記点光源側から本体部側に向かって互いに窄まるように形成された第１及び第２の傾斜面を有し、その第１及び第２の傾斜面が前記点光源側から前記本体部側に向かって平面的に左右に広がるように形成されている導光板と、少なくとも前記射出面及び反射面上に配置され、前記点光源側から本体部側に向かい前記受光部の点光源側端面より所定の距離だけ離間している光学シートとを具備することを特徴とする。
【０００７】
ここで、「光学シート」とは、例えば反射シート、拡散シート及びプリズムシート等のことである。
【０００８】
本発明は、導光板を点光源からの光を受ける受光部とその受光部からの光を射出する面と反射する面とを有する本体部とを一体的に備え、受光部を該射出面に連続する第１の傾斜面と反射面に連続する第２の傾斜面とで互いに窄まるように形成したので、本体部の厚さを受光部の点光源側の厚さより薄くすることができる。その結果、その薄くなった所に光学シートを配置すれば照明装置としての厚さをその光学シート分薄くすることができる。また、従来と同じ光量を確保しながら導光板の厚さを部分的に薄くしたので、照明装置の軽量化を図ることもできる。
【０００９】
更に第１及び第２の傾斜部を平面的に点光源から本体部側に向かって左右に広がるように形成したので、無駄な部分がなく導光板をより軽量化することができる。また、点光源から左右に広がる散乱光も受光部の左右に延びる側面等で全反射され本体部に導かれるので、より点光源からの光を無駄なく電気光学パネルに供給できる。
【００１０】
また、光学シートが点光源側端面から所定の距離だけ離間しているので少なくとも点光源側端面より導光板の厚さが薄くなっている所に配置されることとなり、その分、照明装置を薄型化できる。
【００１１】
本発明の一の形態によれば、前記本体部の反射面は、該反射面と連続する前記第２の傾斜面より傾斜角度が小さい第３の傾斜面により形成されていることを特徴とする。これにより、反射面に例えば反射シートを照明装置全体の厚さを増やさず配置すると共に、本体部の射出面で点光源から遠い所も近い所と略均一に光を射出できることとなる。
【００１２】
本発明の他の観点にかかる電気光学装置は、光を発する点光源と、前記点光源からの光を受ける受光部とその受光部の前記点光源と反対側に隣接し該受光部からの光の射出面及び反射面を有する本体部とを一体的に備え、前記受光部は、前記射出面及び反射面の夫々に連続し前記点光源側から本体部側に向かって互いに窄まるように形成された第１及び第２の傾斜面を有し、その第１及び第２の傾斜面が前記点光源側から前記本体部側に向かって平面的に左右に広がるように形成されている導光板と、少なくとも前記射出面及び反射面上に配置され、前記点光源側から本体部側に向かい前記受光部の点光源側端面より所定の距離だけ離間している光学シートとを備える照明装置と、前記照明装置から光を受ける電気光学材料を保持する基板を備えた電気光学パネルとを具備することを特徴とする。
【００１３】
本発明は、導光板を点光源からの光を受ける受光部とその受光部からの光を射出する面と反射する面とを有する本体部とを一体的に備え、受光部を該射出面に連続する第１の傾斜面と反射面に連続する第２の傾斜面とで互いに窄まるように形成したので、本体部の厚さを受光部の点光源側の厚さより薄くすることができる。その結果、その薄くなった所に光学シートを配置すれば電気光学装置としての厚さをその光学シート分薄くすることができる。また、従来と同じ光量を確保しながら導光板の厚さを部分的に薄くしたので、電気光学装置の軽量化を図ることもできる。
【００１４】
更に第１及び第２の傾斜部を平面的に点光源端部から本体部側に向かって左右に広がるように形成したので、無駄な部分がなく導光板をより軽量化することができる。また、点光源から左右に広がる散乱光も受光部の左右に延びる側面で全反射され本体部に導かれるので、より点光源からの光を無駄なく電気光学パネルに供給できる。
【００１５】
また、光学シートが点光源側端面から所定の距離だけ離間しているので少なくとも点光源側端面より導光板の厚さが薄くなっている所に配置されることとなり、その分、電気光学装置を薄型化できる。
【００１６】
本発明の一の形態によれば、前記本体部の反射面は、該反射面と連続する前記第２の傾斜面より傾斜角度が小さい第３の傾斜面により形成されていることを特徴とする。これにより、反射面に例えば反射シートを電気光学装置全体の厚さを増やさず配置すると共に、本体部の射出面で点光源から遠い所も近い所と略均一に光を射出できることとなる。
【００１７】
本発明の一の形態によれば、前記受光部は、前記電気光学パネルの有効表示領域を除く領域に対応するように配置されていることを特徴とする。これにより、電気光学パネルの表示に寄与しない受光部が電気光学パネルの有効表示領域外に配置されるので、電気光学パネルで表示むら等が現れることを防ぐことができる。
【００１８】
本発明の一の形態によれば、前記光学シートは、前記反射面上に反射シートが配置され、前記射出面上に拡散シート及びプリズムシートが配置されており、夫々前記点光源側端面より受光部分だけ離間していることを特徴とする。これにより、例えば反射面及び射出面の全面に光学シートを配置して電気光学パネルの有効表示領域の全面に表示むらの無い、しかも輝度を向上させた表示を可能としながら、該光学シートを最も導光板の薄い所に配置できるので、より電気光学装置の薄型化を図ることが可能となる。
【００１９】
本発明の一の形態によれば、前記第１及び第２の傾斜面は、外部へ射出する光を反射する反射層が形成されていることを特徴とする。これにより、受光部から外部へ漏れる光を略導光板内へ戻すことができる。従って、点光源からの光を無駄なく電気光学パネルに供給できることとなる。
【００２０】
本発明の一の形態によれば、前記点光源は発光ダイオードであり、前記受光部の前記本体部側と反対側に複数配置されていることを特徴とする。これにより、受光部の点光源側端面から本体部側までの長さをより短くすることができるので、電気光学装置のより小型化が図れる。
【００２１】
本発明の一の形態によれば、前記点光源の前記導光板と反対側に、前記導光板からの戻り光を反射する反射部を更に備えることを特徴とする。これにより、導光板等からの戻り光や漏れ光等を受光部へ戻すので、点光源からの光を無駄なく電気光学パネルに供給できる。
【００２２】
本発明の一の形態によれば、前記基板は、前記電気光学材料を駆動するＩＣが配置された張出し部を有し、前記張出し部は、前記受光部に平面的に重なるように配置されていることを特徴とする。これにより、例えば電気光学パネルの表示に寄与しない受光部を電気光学パネルの有効表示領域外の張出し部の下に配置し、電気光学装置のスペースの効率化を図り、より電気光学装置を小型にできる。
【００２３】
本発明の他の観点にかかる照明装置は、光を発する光源と、前記光源からの光を受ける受光部と、その受光部の前記光源と反対側に隣接し該受光部からの光の射出面及び反射面を有する本体部とを一体的に備え、前記受光部と本体部との境界に前記受光部の厚さより前記本体部の厚さが薄くなるように段部が形成されている導光板とを具備することを特徴とする。
【００２４】
本発明は、導光板を光源からの光を受ける受光部とその受光部からの光を射出する面と反射する面とを有する本体部とを一体的に備え、受光部と本体部との境界に受光部の厚さより本体部の厚さが薄くなるように段部を形成したので、その薄くなった所に光学シートを配置すれば照明装置としての厚さをその光学シート分薄くすることができる。また、従来と同じ受光面である光源側端面を確保しながら導光板の厚さを部分的に薄くしたので、照明装置の軽量化を図ることもできる。
【００２５】
本発明の一の形態によれば、前記光源は点光源であり、前記受光部は、前記本体部の射出面及び反射面の夫々に前記境界を介して平面的に隣接し相対向する第１及び第２の面を有し、その第１及び第２の面が前記点光源側から前記本体部側に向かって平面的に左右に広がるように形成されていることを特徴とする。これにより、光源が点光源である場合に無駄な部分がなく導光板をより軽量化することができる。また、点光源から左右に広がる散乱光も受光部の左右に延びる側面等で全反射され本体部に導かれるので、より点光源からの光を無駄なく電気光学パネルに供給できる。
【００２６】
本発明の他の観点にかかる電気光学装置は、光を発する光源と、前記光源からの光を受ける受光部とその受光部の前記光源と反対側に隣接し該受光部からの光の射出面及び反射面を有する本体部とを一体的に備え、前記受光部と本体部との境界に前記受光部の厚さより前記本体部の厚さが薄くなるように段部が形成されている導光板とを備える照明装置と、前記照明装置から光を受ける電気光学材料を保持する基板を備えた電気光学パネルとを具備することを特徴とする。
【００２７】
本発明は、導光板を光源からの光を受ける受光部とその受光部からの光を射出する面と反射する面とを有する本体部とを一体的に備え、受光部と本体部との境界に受光部の厚さより本体部の厚さが薄くなるように段部を形成したので、その薄くなった所に光学シートを配置すれば電気光学装置としての厚さをその光学シート分薄くすることができる。また、従来と同じ受光面である光源側端面を確保しながら導光板の厚さを部分的に薄くしたので、電気光学装置の軽量化を図ることもできる。
【００２８】
本発明の一の形態によれば、前記光源は点光源であり、前記受光部は、前記本体部の射出面及び反射面の夫々に前記境界を介して平面的に隣接し相対向する第１及び第２の面を有し、その第１及び第２の面が前記点光源側から前記本体部側に向かって平面的に左右に広がるように形成されていることを特徴とする。これにより、光源が点光源である場合に無駄な部分がなく導光板をより軽量化することができる。また、点光源から左右に広がる散乱光も受光部の左右に延びる側面等で全反射され本体部に導かれるので、より点光源からの光を無駄なく電気光学パネルに供給できる。
【００２９】
本発明の一の形態によれば、前記点光源は発光ダイオードであり、前記受光部の前記本体部側と反対側に複数配置されていることを特徴とする。これにより、受光部の点光源側端面から本体部側までの長さをより短くすることができるので、電気光学装置のより小型化が図れる。
【００３０】
本発明の他の観点にかかる電子機器は、上述する電気光学装置を備えたことを特徴とする。
【００３１】
本発明は、より薄型軽量であり、点光源からの光を無駄なく電気光学パネルに供給できる電気光学装置を備えるので、電子機器の表示性能を向上させながらより電子機器の小型化、薄型化、更に軽量化を図ることができる。
【発明を実施するための最良の形態】
【００３２】
以下、本発明に実施形態を図面に基づき説明する。なお、以下実施形態を説明するにあたっては、電気光学装置の例として液晶装置、具体的には反射半透過型のパッシブマトリックス方式の液晶装置、またその液晶装置を用いた電子機器について説明するがこれに限られるものではない。また、以下の図面においては各構成を分かりやすくするために、実際の構造と各構造における縮尺や数等が異なっている。
【００３３】
（第１の実施形態）
【００３４】
図１は本発明の第１の実施形態に係る液晶装置の概略斜視図、図２は図１のＡ−Ａ線断面図（液晶駆動用ＩＣ及び点光源は切断されていない。）、図３は図２の照明装置の説明図、図４は点光源及び導光板の概略平面図及び図５は導光板が楔形状である場合の概略断面図である。
【００３５】
（液晶装置の構成）
【００３６】
液晶装置１は、例えば図１に示すように電気光学パネルとしての液晶パネル２と当該液晶パネル２に接続された回路基板３及び当該液晶パネル２に光を射出する照明装置４とを有する。ここで、液晶装置１には、照明装置４の他にも、その他の付帯機構が必要に応じて付設される（図示しない）。
【００３７】
液晶パネル２は、図１及び図２に示すようにシール材５を介して貼り合わされた一対の基板である第１の基板６及び第２の基板７と、両基板の隙間に封入された電気光学材料例えばＳＴＮ（Ｓｕｐｅｒ  Ｔｗｉｓｔｅｄ  Ｎｅｍａｔｉｃ）型の液晶８及び液晶パネル２の周縁部を保持する額縁状の枠９とを有する。
【００３８】
第１の基板６には、例えば図１及び図２に示すように液晶側表面に複数のコモン電極１０が所定のパターンで形成されており、そのコモン電極１０の上（液晶側）にはオーバーコート層１１が形成され、更にその上に配向膜１２が形成されている。また、第１の基板６の外側（液晶８と反対側）には偏光板１３等が配置されている。
【００３９】
一方、第２の基板７には、例えば図１及び図２に示すように液晶側表面に、複数のセグメント電極１４が所定のパターンで形成されており、そのセグメント電極１４の上にはオーバーコート層１５が形成され、更にその上に配向膜１６が形成されている。また、第２の基板７の外側（液晶８と反対側）には偏光板１７等が配置されている。
【００４０】
なお、第１の基板及び第２の基板６，７のいずれか一方の内側表面には図示しないが必要に応じて下地層、反射層、着色層及び光遮蔽層等を形成する。
【００４１】
ここで、第１の基板及び第２の基板６，７は、図１及び図２に示すように例えばガラスや合成樹脂といった光透過性材料から形成された板状部材であり、第２の基板７は第１の基板６に対し外側へ（図１及び図２中のＹ軸方向）張出した張出し部１８を有している。
【００４２】
また、コモン電極１０は、例えばＩＴＯ（Ｉｎｄｕｉｕｍ  Ｔｉｎ  Ｏｘｉｄｅ）の透明導電材料でストライプ状に複数形成されているが、図１及び図２に示すように一方方向（図中Ｘ軸方向）で平行になるようにストライプ形状で複数形成されている。
【００４３】
更にセグメント電極１４はコモン電極１０と同様にＩＴＯ等の透明導電材料でストライプ状に複数形成されているが、図１及び図２に示すようにコモン電極１０と交差するように図中のＹ軸方向に形成されている。これらのコモン電極１０及びセグメント電極１４が交差する所が、例えば像を表示するＲ（赤）、Ｇ（緑）、Ｂ（青）の一つ一つのサブ画素となる。
【００４４】
また、オーバーコート層１１，１５は例えば酸化ケイ素、酸化チタンまたはこれらの混合物により形成され、配向膜１２，１６は例えばポリイミド系樹脂により形成されている。更に偏光板１３，１７は例えば高分子型薄膜偏光フィルムにより形成され、夫々の基板の外側に貼着されている。
【００４５】
張出し部１８は、図１及び図２に示すようにコモン電極及びセグメント電極１０，１４がシール材５で囲まれる領域（以下「液晶領域」という。）から当該張出し部１８に延びたコモン電極用配線１９及びセグメント電極用配線２０、その各電極用配線に例えば液晶駆動用電流を供給するＩＣ（Ｉｎｔｅｇｒａｔｅｄ  Ｃｉｒｃｕｉｔ）としての液晶駆動用ＩＣ２１等を有する。
【００４６】
また、張出し部１８は液晶駆動用ＩＣ２１の実装面に対応する第２の基板７上の実装領域内に設けられた複数の電極用端子２２、更に回路基板３からの電流を液晶駆動用ＩＣ２１に入力する複数の入力用端子２３を有する。この電極用端子２２はコモン電極用配線及びセグメント電極用配線１９，２０に夫々電気的に接続されている。
【００４７】
更に張出し部１８は、回路基板３からの電流を受取る外部用端子２４、その外部からの電流を入力用端子２３に供給する入力用配線２５等を有する。
【００４８】
また、例えば図２に示すように張出し部１８の液晶駆動用ＩＣ２１の実装面と反対側には、略張出し部１８の全体を覆うように遮光部材２６が貼着されている。
【００４９】
遮光部材２６は、例えば第２の基板７側は黒色で点光源側は白色等の光を反射する構成となっている。これにより、後述する点光源から光が漏れても遮光部材２６で反射され、より点光源からの光を無駄なく液晶パネル２に供給できる。また、外部からの光も黒色面で吸収され液晶駆動用ＩＣ２１へ反射することもなく、より安定した液晶の駆動を得ることができる。
【００５０】
なお、コモン電極用配線及びセグメント電極用配線１９，２０は例えばコモン電極及びセグメント電極１０，１４と同様ＩＴＯ等の透明導電性材料で形成されている。
【００５１】
液晶駆動用ＩＣ２１は、例えば回路基板３及び入力用配線２５を介して表示画像等に関わる各種の信号を受信すると、この信号に応じた駆動信号を生成するものであり、その駆動信号はコモン電極用配線及びセグメント電極用配線１９，２０に供給される。
【００５２】
液晶駆動用ＩＣ２１は、図１及び図２に示すようにＸ軸方向に長辺が来るように略長方形の外形を有し、その張出し部１８への実装面である裏面には電極用端子２２と入力用端子２３とに電気的に接続するための複数のバンプ２７を有する。この電気的接続には、例えば電極用端子及び入力用端子２２，２３とバンプ２７との間にＡＣＦ（Ａｎｉｓｏｔｒｏｐｉｃ  ｃｏｄｕｃｔｉｖｅ  ｆｉｌｍ）２８を介して行われている。
【００５３】
また、枠９は例えば図１及び図２に示すようにその中央に略矩形状の表示用開口部２９を有し、額縁状に形成されている。更に枠９は、第１の基板上の偏光板１３を介し液晶パネル２の周縁部を保持し固定しているが表示用開口部２９の周縁が、例えば図２に示すように液晶パネル２の有効表示領域Ｂの周縁外側の見切り部分（図示しない）に平面的に隣接するように形成されている。これにより、表示に寄与しない部分が、該枠９により覆われるので液晶表示がより鮮明になる。
【００５４】
次に、回路基板３には例えば図１及び図２に示すようにベース基材３０の上に配線パターン３１等が形成、実装されている。
【００５５】
ここで、ベース基材３０は可撓性を有するフィルム状の部材であり、配線パターン３１は例えば銅等から形成されていて、張出し部側の端に接続用端子（図示しない）が形成されている。その接続用端子は外部用端子２４に外部接続用ＡＣＦ３２を介して電気的に接続されている。なお、外部接続用ＡＣＦ３２はＡＣＦ２８とほとんど同様の構成であるが、必要に応じて導電粒子の大きさ等を変えてある。
【００５６】
次に、照明装置４は例えば図１、図２、図３及び図４に示すように液晶パネル２に光を供給するバックライトユニットであり、点光源３３、導光板３４、２枚のプリズムシート３５，３６、拡散シート３７、反射シート３８、フレーム３９及び反射部としての反射部材４０等を有する。
【００５７】
ここで、点光源３３は例えば発光ダイオード（以下「ＬＥＤ」（Ｌｉｇｈｔ  Ｅｍｉｔｔｉｎｇ  Ｄｉｏｄｅ）という。）が用いられ図１、図２、図３及び図４に示すよう導光板３４の点光源側端面に発光面４１が配置されている。
【００５８】
また、導光板３４は例えば図１、図２、図３及び図４に示すように点光源３３からの光を受ける受光部４２とその受光部４２により受けた光を導き液晶パネル２に射出する本体部４３とを一体的に有する。
【００５９】
受光部４２は、第２の基板側の面が第１の傾斜面４４として、またフレーム側の面が第２の傾斜面４５として形成されており、該第１及び第２の傾斜面４４，４５は例えば図２に示すように点光源側から本体部側に互いに窄まるように形成されている。また、例えば第１の傾斜面４４の傾斜角度θ１は第２の傾斜面４５の傾斜角度θ２より大きく形成されている。これにより、第１の傾斜面４４に連続する本体部側の面上には、例えば図３に示すように第２の傾斜面４５に連続する本体側の面上の空スペースＤより大きな空スペースＣができ、例えば拡散シート３７や２枚のプリズムシート３５，３６を収納できることとなる。
【００６０】
更に受光部４２は、例えば図４に示すように該第１及び第２の傾斜面４４，４５が点光源側から本体部側に向かって平面的に左右に広がるように形成されている。すなわち、受光部４２は点光源側端面４６を上辺とし、本体部４３との境を下辺とする略台形を有している。
【００６１】
また、点光源側端面４６は略点光源３３の発光面４１の大きさと略一致するように形成されている。これにより、点光源３３から射出した光のほとんどを受光部４２に入射させながらプリズムシート３５，３６や拡散シート３７等が配置される本体部４３ではその厚さを薄くすることが可能となる。
【００６２】
更に第１及び第２の傾斜面４４，４５の表面に図示しない反射層を設けてもよい。これにより、該第１及び第２の傾斜面４４，４５から外部に漏れる光を略受光部４２の内部に戻すことが可能となり、点光源３３からの光を無駄なく液晶パネル２に供給できる。
【００６３】
次に、本体部４３は例えば図１、図２及び図３に示すように厚さが略等しい平板状の形状を有し、その平板形状の両面は、受光部４２の第１の傾斜面４４から連続する液晶パネル２に光を射出する射出面４７と、その射出面４７と反対側で受光部４２の第２の傾斜面４５から連続し光が反射する反射面４８とに形成されている。
【００６４】
尚、本体部４３は上述のように厚さが略等しい平板形状に限られるものではなく、例えば図５に示すように点光源３３に遠くなるほど本体部４３の厚さが薄くなるような略楔形状に形成してもよい。具体的には本体部４３の反射面４８が、該反射面４８と連続する第２の傾斜面４５の傾斜角度θ２より傾斜角度が小さい傾斜角度θ３の第３の傾斜面４９として形成されている。これにより、例えば反射シート３８の収納スペースを作りながら本体部４３を楔形状にして、均一な輝度で光を射出することが可能となると共に液晶装置１の軽量化をより図ることができる。
【００６５】
ここで、受光部及び本体部４２，４３とも例えばアクリル系樹脂等を用いて射出成形や押出成形等により形成される。
【００６６】
次に、２枚のプリズムシート３５，３６、拡散シート３７及び反射シート３８は図１、図２及び図３に示すように略同じ大きさに形成されており、本体部４３の反射面４８上（図では下方向）に該反射面４８と略同じ大きさの例えば銀箔シート等の反射シート３８が貼着されている。また、本体部４３の射出面４７上（液晶パネル側）に射出面４７と略同じ大きさの拡散シート３７が貼着され、更にその上に２枚のプリズムシート３５，３６が配置されている。また、図２に示すように液晶パネル２の有効表示領域Ｂに本体部４３の射出面４７が対応しているので、有効表示領域Ｂの全体に均質で輝度の高い光を射出することができる。尚、拡散シート３７は、拡散により均一な光を射出するものであり、プリズムシート３５，３６は拡散シート３７から射出される光の輝度を向上させ液晶パネル２の偏光板１７に照射するものである。
【００６７】
また、フレーム３９は例えば図１、図２及び図３に示すように反射部材４０、点光源３３、反射シート３８、拡散シート３７及び２枚のプリズムシート３５，３６が備えられた導光板３４が丁度収納されるように内側に凹部５０を形成している。
【００６８】
ここで、反射部材４０は、例えば図１、図２及び図３に示すように点光源３３の発光面４１と反対側の凹部５０の内壁に設けられている。図１では平板状に形成されているがこれに限られるものではなく、例えば凹面鏡のような形状にしてもよい。材料として銀やアルミニウムを用いることができる。これにより、受光部４２等で漏れ出た光を反射させ、再利用を図ることができる。
【００６９】
（液晶装置の動作）
【００７０】
次に、以上のように構成された液晶装置１の動作について導光板での光の進み方を中心に簡単に説明する。
【００７１】
図６は導光板の光の進み方を側面側から説明する図及び図７は導光板の光の進み方を平面側から説明する図である。
【００７２】
まず、図示しない駆動回路により例えばＬＥＤである点光源３３に所定の電流が供給されると該点光源３３はその発光面４１から所定の波長の光を発する。そして、その発光面４１から射出した光は、例えば図６に示すように発光面４１の略中央から射出した光Ｅ１であれば受光部４２の点光源側端面４６に入射しそのまま本体部４３に進み、何回か全反射を繰り返しやがて本体部４３の射出面４７から拡散シート３７へ射出する。
【００７３】
更に該射出光は図６のＦのように２枚のプリズムシート３６，３５を経て液晶パネル２の第２の基板7側に入射し、液晶８により所定のサブ画素ごとに光変調され第１の基板側の偏光板１３の有効表示領域から外部へ射出し、見る者に所定の画像を表示することとなる。
【００７４】
一方、発光面４１のやや上方から射出した光Ｅ２は、受光部４２の第１の傾斜面４４で全反射し、その反射光が本体部４３に進み上述した光Ｅ１と同様に本体部４３で全反射を繰り返しやがて本体部４３の射出面４７から拡散シート３７へ射出する。
【００７５】
また、発光面４１のやや下方から射出した光Ｅ３は、受光部４２の第２の傾斜面４５で全反射し、その反射光が本体部４３に進み上述した光Ｅ１と同様に本体部４３で全反射を繰り返しやがて本体部４３の射出面４７から拡散シート３７へ射出する。
【００７６】
このように、点光源３３の発光面４１と略同じ大きさを有する受光部４２の点光源側端面４６から本体部４３では図３に示すように上下に夫々Ｃ，Ｄだけ（図３中のＺ軸方向の長さ）小さくなっても、受光部４２の第１及び第２の傾斜面４４，４５により点光源側端面４６の大きさで反対側まで均一な導光板と略同様に点光源３３からの光を液晶パネル２に供給できる。
【００７７】
次に、平面から見た光の進み方について説明する。
【００７８】
例えば図７に示すように点光源３３の発光面４１の略中央から射出した光Ｇ１であれば受光部４２の点光源側端面４６に入射しそのまま本体部４３に進み、何回か全反射を繰り返しやがて本体部４３の射出面４７から拡散シート３７へ図６のＦのように射出する。
【００７９】
また、やや斜めに射出した光Ｇ２は、そのまま本体部４３に進み本体部４３の側面で全反射し、更に反射を繰り返しやがて本体部４３の射出面４７から拡散シート３７へＧ１と同様に射出する。
【００８０】
一方、受光部４２で散乱等により例えば図７のＧ３のように横方向（図中のＸ軸方向）に進む光も受光部４２の側面（図中のＹ軸方向に対しに斜め方向に形成された側面）により反射され本体部４３に進み、何回か全反射を繰り返しやがて本体部４３の射出面４７から拡散シート３７へＧ１と同様に射出する。
【００８１】
これにより、従来であればそのまま外部に漏れてしまう散乱光等も本体部４３に向かって平面的に左右に広がる第１及び第２の傾斜面４４，４５の側面等により無駄なく液晶パネル２に供給できることとなる。
【００８２】
以上で液晶装置１の動作の説明を終了する。
【００８３】
このように本実施形態によれば、液晶装置１の導光板３４を点光源３３からの光を受ける受光部４２とその受光部４２からの光を射出する面と反射する面とを有する本体部４３とを一体的に備え、受光部４２を該射出面４７に連続する第１の傾斜面４４と反射面４８に連続する第２の傾斜面４５とで互いに窄まるように形成したので、本体部４３の厚さを受光部４２の点光源側の厚さより薄くすることができる。その結果、その薄くなった所に光学シート、例えばプリズムシート３５等を配置すれば液晶装置１としての厚さをその光学シート分薄くすることができる。また、従来と同じ光量を確保しながら導光板３４の厚さを部分的に薄くしたので、液晶装置１の軽量化を図ることもできる。
【００８４】
更に第１及び第２の傾斜部を平面的に点光源側端面４６から本体部側に向かって左右に広がるように形成したので、無駄な部分がなく導光板３４をより軽量化することができる。また、点光源３３から左右に広がる散乱光も受光部４２の左右に延びる側面等で全反射され本体部４３に導かれるので、より点光源３３からの光を無駄なく液晶パネル２に供給できる。
【００８５】
また、受光部４２は、液晶パネル２の有効表示領域Ｂを除く領域に対応するように配置されているので、液晶パネル２の表示に寄与しない受光部４２が液晶パネル２の有効表示領域外に配置されることとなり、液晶パネル２で表示むら等が現れることを防ぐことができる。
【００８６】
更に反射面上に反射シート３８が配置され、射出面上に拡散シート３７及びプリズムシート３５，３６が配置されており、夫々点光源側端面４６より受光部分だけ離間しているので、例えば反射面４８及び射出面４７の全面に反射シート３８等の光学シートを配置して液晶パネル２の有効表示領域Ｂの全面に表示むらの無い、しかも輝度を向上させた表示を可能としながら、該光学シートを最も導光板３４の薄い所に配置できるので、より液晶装置１の薄型化を図ることが可能となる。
【００８７】
また、第１及び第２の傾斜面４４，４５に外部へ射出する光を反射する反射層を形成すれば、受光部４２から外部へ漏れる光を略導光板３４内へ戻すことができる。従って、点光源３３からの光を無駄なく液晶パネル２に供給できることとなる。
【００８８】
更に点光源３３の導光板３４と反対側に、導光板３４からの戻り光を反射する反射部材４０を更に備えることとしたので、導光板等からの戻り光や漏れ光等を受光部４２へ戻し、点光源３３からの光を無駄なく液晶パネル２に供給できる。
【００８９】
また、液晶装置１の第２の基板７には、液晶駆動用ＩＣ２１が配置された張り出し部１８を有し、該張出し部１８は、受光部４２に平面的に重なるように配置されているので、例えば液晶パネル２の表示に寄与しない受光部４２を液晶パネル２の有効表示領域外の張出し部１８の下に配置し、液晶装置１のスペースの効率化を図り、より液晶装置１を小型にできる。
【００９０】
（第２の実施形態）
【００９１】
次に、本発明に係る液晶装置の第２の実施形態について説明する。本実施形態においては点光源が２つ備えられ、受光部もそれに合わせて変形されている点が第１の実施形態と異なるので照明装置を中心に説明する。尚、第１の実施形態の構成要素と共通する構成要素については、第１の実施形態の構成要素と同一の符号を付しその説明を省略する。
【００９２】
図８は本発明の第２の実施形態に係る液晶装置１０１の概略斜視図、図９は図８の照明装置のＨ−Ｈ線断面図（点光源は切断されていない。）及び図１０は２つの点光源と導光板との概略平面図である。
【００９３】
（液晶装置の構成）
【００９４】
液晶装置１０１は、例えば図８に示すように液晶パネル２と当該液晶パネル２に接続された回路基板３及び当該液晶パネル２に光を射出する照明装置１０４とを有する。ここで、液晶装置１０１には、照明装置１０４の他にも、その他の付帯機構が必要に応じて付設される（図示しない）。
【００９５】
照明装置１０４は、例えば図８、図９及び図１０に示すように液晶パネル２に光を供給するバックライトユニットであり、２つの点光源１３３ａ，１３３ｂ、導光板１３４、２枚のプリズムシート３５，３６、拡散シート３７、反射シート３８、フレーム３９及び反射部としての反射部材４０等を有する。
【００９６】
ここで、２つの点光源１３３ａ，１３３ｂは例えばＬＥＤが用いられている。更に点光源１３３ａ，１３３ｂは、例えば図８及び図１０に示すように図中のＸ軸方向に横に所定の間隔を置いて並んでおり、導光板１３４の点光源側端面に発光面４１が配置されている。
【００９７】
また、導光板１３４は例えば図８、図９及び図１０に示すように点光源１３３ａ，１３３ｂからの光を夫々受ける受光部１４２ａ，１４２ｂとその受光部１４２ａ，１４２ｂにより受けた光を導き液晶パネル２に射出する本体部４３とを一体的に有する。
【００９８】
受光部１４２ａ，１４２ｂは、夫々第２の基板側の面が第１の傾斜面１４４ａ，１４４ｂとして、またフレーム側の面が第２の傾斜面１４５ａ，１４５ｂとして形成されており、該第１及び第２の傾斜面１４４ａ，１４４ｂ，１４５ａ，１４５ｂは例えば図９に示すように点光源側から本体部側に互いに窄まるように形成されている。また、例えば第１の傾斜面１４４ａの傾斜角度θ４は第２の傾斜面１４５ａの傾斜角度θ５より大きく形成されている。これにより、第１の傾斜面１４４ａ，１４４ｂに連続する本体部側の面上には、例えば図９に示すように第２の傾斜面１４５ａ，１４５ｂに連続する本体側の面上の空スペースＤより大きな空スペースＣができ、例えば拡散シート３７や２枚のプリズムシート３５，３６を収納できることとなる。
【００９９】
更に受光部１４２ａ，１４２ｂは、例えば図１０に示すように該第１及び第２の傾斜面１４４ａ，１４４ｂ，１４５ａ，１４５ｂが点光源側から本体部側に向かって平面的に左右に広がるように形成されている。すなわち、受光部１４２ａ，１４２ｂは点光源側端面４６を上辺とし、本体部４３との境を下辺とする２つの横（図中のＸ軸方向）に並んだ略台形を有している。
【０１００】
また、点光源側端面４６は略点光源１３３ａ，１３３ｂの発光面４１の大きさと略一致するように形成されている。これにより、点光源１３３ａ，１３３ｂから射出した光のほとんどを受光部１４２ａ，１４２ｂに入射させながらプリズムシート３５，３６や拡散シート３７等が配置される本体部４３ではその厚さを薄くすることが可能となる。
【０１０１】
更に第１及び第２の傾斜面１４４ａ，１４４ｂ，１４５ａ，１４５ｂの表面に図示しない反射層を設けてもよい。これにより、該第１及び第２の傾斜面１４４ａ，１４４ｂ，１４５ａ，１４５ｂから外部に漏れる光を略受光部１４２ａ，１４２ｂの内部に戻すことが可能となり、点光源１３３ａ，１３３ｂからの光を無駄なく液晶パネル２に供給できる。
【０１０２】
次に、本体部４３は例えば図８、図９及び図１０に示すように厚さが略等しい平板状の形状を有し、その平板形状の両面は、受光部１４２ａ，１４２ｂの第１の傾斜面１４４ａ，１４４ｂから連続する液晶パネル２に光を射出する射出面４７と、その射出面４７と反対側で受光部１４２ａ，１４２ｂの第２の傾斜面１４５ａ，１４５ｂから連続し光が反射する反射面４８とに形成されている。
【０１０３】
尚、本体部４３は上述のように厚さが略等しい平板形状に限られるものではなく、第１の実施形態と同様、例えば点光源１３３ａ，１３３ｂに遠くなるほど本体部４３の厚さが薄くなるような略楔形状に形成してもよい。具体的には本体部４３の反射面４８が、該反射面４８と連続する第２の傾斜面１４５ａ，１４５ｂの傾斜角度θ５より傾斜角度が小さい傾斜角度θ３の第３の傾斜面４９として形成されている。これにより、例えば反射シート３８の収納スペースを作りながら本体部４３を楔形状にして、均一な輝度で光を射出することが可能となると共に液晶装置１０１の軽量化をより図ることができる。
【０１０４】
ここで、受光部及び本体部１４２ａ，１４２ｂ，４３とも例えばアクリル系樹脂等を用いて射出成形や押出成形等により形成される。
【０１０５】
また、フレーム３９は例えば図８及び図９に示すように反射部材４０、点光源１３３ａ、１３３ｂ、反射シート３８、拡散シート３７及び２枚のプリズムシート３５，３６が備えられた導光板１３４が丁度収納されるように内側に凹部５０を形成している。
【０１０６】
（液晶装置の動作）
【０１０７】
本実施形態に係る液晶装置１０１の導光板の光の進み方については、略第１に実施形態と同様であるのでその説明を省略する。
【０１０８】
このように本実施形態によれば、液晶装置１０１の導光板１３４を点光源１３３ａ，１３３ｂからの光を受ける受光部１４２ａ，１４２ｂとその受光部１４２ａ，１４２ｂからの光を射出する面と反射する面とを有する本体部４３とを一体的に備え、受光部１４２ａ，１４２ｂを該射出面４７に連続する第１の傾斜面１４４ａ，１４４ｂと反射面４８に連続する第２の傾斜面１４５ａ，１４５ｂとで互いに窄まるように形成したので、本体部４３の厚さを受光部１４２ａ，１４２ｂの点光源側の厚さより薄くすることができる。その結果、その薄くなった所に光学シート、例えばプリズムシート３５等を配置すれば液晶装置１としての厚さをその光学シート分薄くすることができる。また、従来と同じ光量を確保しながら導光板１３４の厚さを部分的に薄くしたので、液晶装置１０１の軽量化を図ることもできる。
【０１０９】
更に第１及び第２の傾斜部を平面的に点光源側端面４６から本体部側に向かって左右に広がるように形成したので、無駄な部分がなく導光板１３４をより軽量化することができる。また、点光源１３３ａ，１３３ｂから左右に広がる散乱光も受光部１４２ａ，１４２ｂの左右に延びる側面等で全反射され本体部４３に導かれるので、より点光源１３３ａ，１３３ｂからの光を無駄なく液晶パネル２に供給できる。
【０１１０】
また、点光源が１つの場合に比べ受光部１４２ａ，１４２ｂの点光源側端面４６から本体部側までの長さをより短くすることができるので、液晶装置１０１のより小型化が図れる。
【０１１１】
（第３の実施形態）
【０１１２】
次に、本発明に係る液晶装置の第３の実施形態について説明する。本実施形態においては受光部と本体部との境界に段部が形成され、受光部もそれに合わせて変形されている点が第１の実施形態と異なるので照明装置を中心に説明する。尚、第１の実施形態の構成要素と共通する構成要素については、第１の実施形態の構成要素と同一の符号を付しその説明を省略する。
【０１１３】
図１１は本発明の第３の実施形態に係る液晶装置２０１の概略斜視図、図１２は図１１のＪ−Ｊ線断面図（液晶駆動用ＩＣ及び光源は切断されていない。）、図１３は光源と導光板との概略説明図及び図１４は段部が片面しかない場合の導光板等の概略斜視図である。
【０１１４】
（液晶装置の構成）
【０１１５】
液晶装置２０１は、例えば図１１に示すように液晶パネル２と当該液晶パネル２に接続された回路基板３及び当該液晶パネル２に光を射出する照明装置２０４とを有する。ここで、液晶装置２０１は、照明装置２０４の他にも、その他の付帯機構が必要に応じて付設される（図示しない）。
【０１１６】
照明装置２０４は、例えば図１１、図１２及び図１３に示すように液晶パネル２に光を供給するバックライトユニットであり、光源として例えば点光源３３、導光板２３４、２枚のプリズムシート３５，３６、拡散シート３７、反射シート３８、フレーム３９及び反射部としての反射部材４０等を有する。
【０１１７】
ここで、導光板２３４は、例えば図１１、図１２及び図１３に示すように全体として矩形状をなし、点光源３３からの光を受ける受光部２４２と、その受光部２４２の点光源３３と反対側に隣接し受光部２４２により受けた光を導き液晶パネル２に射出する射出面４７と反射面４８とを有する本体部４３とを一体的に有する。
【０１１８】
また、受光部２４２と本体部４３との境界には、受光部側の厚さ（図１２のＬ）より本体部４３の厚さ（図１２のＫ）が薄くなるように例えば図１１、図１２及び図１３に示すように液晶パネル側に上段部２５１とフレーム側に下段部２５２が形成されている。
【０１１９】
上段部２５１は、図１１、図１２及び図１３に示すように矩形状である導光板２３４の点光源側端面２４６から所定の距離、少なくとも該上段部が有効表示領域Ｂの中に入ってこないような距離で形成されている。更に上段部２５１は、その上段部２５１の点光源側端面２４６に平行な壁面で、受光部２４２の第２の基板側の面である第１の面２４４と本体側の射出面４７とを繋ぐように形成されている。
【０１２０】
また、下段部２５２は、例えば図１１、図１２及び図１３に示すように上段部２５１に平面的に重なるようにフレーム側に形成されており、その下段部２５２の点光源側端面２４６に平行な壁面で、受光部２４２のフレーム側の面である第２の面２４５と本体側の反射面４８とを繋ぐように形成されている。
【０１２１】
更に受光部２４２は、例えば図１１、図１２及び図１３に示すように本体部４３の射出面４７及び反射面４８の夫々に受光部２４２と本体部４３との境界を介し平面的に隣接し相対向する第１の面及び第２の面２４４，２４５を有している。また、該第１の面及び第２の面２４４，２４５は略矩形状であり、お互いに平行となるように形成されている。
【０１２２】
また、点光源側端面２４６は例えば図１３に示すように横幅（図中Ｘ軸方向）が点光源３３の発光面４１より大きく、その高さ（図中Ｚ軸方向）は発光面４１と略同じに形成されている。これにより、点光源３３から射出した光のほとんどを受光部２４２に入射させながらプリズムシート３５，３６や拡散シート３７等が配置される本体部４３ではその厚さを薄くすることが可能となる。
【０１２３】
更に第１の面及び第２の面２４４，２４５の表面に図示しない反射層を設けてもよいことは第１の実施形態と同様である。これにより、該第１の面及び第２の面２４４，２４５から外部に漏れる光を略受光部２４２の内部に戻すことが可能となり、点光源３３からの光を無駄なく液晶パネル２に供給できる。
【０１２４】
次に、本体部４３は例えば図１１、図１２及び図１３に示すように厚さが略等しい平板状の形状を有している。また、その平板形状の両面は、受光部２４２の第１の面２４４から受光部２４２と本体部４３との境界に設けられた上段部２５１を介して平面的に隣接する液晶パネル２に光を射出する射出面４７と、その射出面４７と反対側で受光部２４２の第２の面２４５から該境界に設けられた下段部２５２を介して平面的に隣接する光が反射する反射面４８とにより形成されている。
【０１２５】
尚、本体部４３は上述のように厚さが略等しい平板形状に限られるものではなく、例えば点光源３３に遠くなるほど本体部４３の厚さが薄くなるような略楔形状に形成してもよい。これにより、例えば反射シート３８の収納スペースを作りながら本体部４３を楔形状にして、均一な輝度で光を射出することが可能となると共に液晶装置２０１の軽量化をより図ることができる。
【０１２６】
ここで、受光部及び本体部２４２，４３とも例えばアクリル系樹脂等を用いて射出成形や押出成形等により形成される。
【０１２７】
また、上述の説明では受光部２４２と本体部４３との境界に上段部２５１と下段部２５２との両方を設けたがこれに限られるものではなく、例えば図１４のように上段部２５１だけでもよい。勿論、逆に下段部２５２だけでもよい。
【０１２８】
例えば図１４に示すように上段部２５１だけである場合は、反射シート３８´を点光源側端面２４６まで延ばしてもよい。これにより、薄さは下段部２５２を設けた場合に比べ少し厚くなるが導光板２３４´の構造がより単純になり製造が容易となる。また、反射シート３８´が受光部２４２のフレーム側まで覆うこととなるので、より点光源３３からの光を無駄なく液晶パネル２に供給できる。
【０１２９】
（液晶装置の動作）
【０１３０】
本実施形態に係る液晶装置２０１の導光板の光の進み方については、略第１の実施形態と同様であるのでその説明を省略する。
【０１３１】
このように本実施形態によれば、液晶装置２０１の導光板２３４を光源である点光源３３からの光を受ける受光部２４２とその受光部２４２からの光を射出する面と反射する面とを有する本体部４３とを一体的に備え、受光部２４２と本体部４３との境界に受光部２４２の厚さより本体部４３の厚さが薄くなるように段部、例えば上段部及び下段部２５１，２５２を形成したので、その薄くなった所に光学シート、例えばプリズムシート３５等を配置すれば液晶装置２０１としての厚さをその光学シート分薄くすることができる。また、従来と同じ受光面である点光源側端面２４６を確保しながら導光板２３４の厚さを部分的に薄くしたので、液晶装置２０１の軽量化を図ることもできる。
【０１３２】
（変形例）
【０１３３】
次に、本発明に係る液晶装置の第３の実施形態の変形例について説明する。本変形例においては受光部が略台形をしている点が第３の実施形態と異なるので導光板を中心に説明する。尚、第１及び第２の実施形態の構成要素と共通する構成要素については、第１及び第２の実施形態の構成要素と同一の符号を付しその説明を省略する。
【０１３４】
図１５は受光部が略台形をしている場合の導光板等の概略斜視図及び図１６は点光源が２つある場合の導光板等の概略斜視図である。
【０１３５】
図１５に示すように液晶装置４０１の導光板４３４は、例えば点光源３３からの光を受ける受光部４４２と、その点光源３３と反対側に隣接し受光部４４２により受けた光を導き液晶パネル２に射出する射出面４７と反射面４８とを有する本体部４３とを一体的に備える。
【０１３６】
また、受光部４４２と本体部４３との境界には、受光部側の厚さより本体側の厚さが薄くなるように例えば図１５に示すように液晶パネル側に上段部４５１とフレーム側に下段部４５２が形成されている。
【０１３７】
上段部４５１は、図１５に示すように点光源側端面４４６から所定の距離、少なくとも該上段部４５１が液晶パネル２の有効表示領域Ｂの中に入ってこないような距離で形成されている。更に上段部４５１は、その上段部４５１の点光源側端面４４６に平行な壁面で、受光部４４２の第２の基板側の面である第１の面４４４と本体側の射出面４７とを繋ぐように形成されている。
【０１３８】
また、下段部４５２は、例えば図１５に示すように上段部４５１に平面的に重なるようにフレーム側に形成されており、その下段部４５２の点光源側端面４４６に平行な壁面で、受光部４４２のフレーム側の面である第２の面４４５と本体側の反射面４８とを繋ぐように形成されている。
【０１３９】
更に受光部４４２は、例えば図１５に示すように本体部４３の射出面４７及び反射面４８の夫々に受光部４４２と本体部４３との境界を介し平面的に隣接し相対向する第１の面及び第２の面４４４，４４５を有している。また、該第１の面及び第２の面４４４，４４５は点光源側から図１５に示すように本体側に向かって平面的に左右に広がるように形成されおり、互いに平行となっている。
【０１４０】
また、点光源側端面２４６は例えば図１５に示すように点光源３３の発光面４１の大きさと略一致するように形成されている。これにより、点光源３３から射出した光のほとんどを受光部４４２に入射させながらプリズムシート３５，３６や拡散シート３７等が配置される本体部４３ではその厚さを薄くすることが可能となる。
【０１４１】
更に本体部４３は、例えば図１５に示すように厚さが略等しい平板状の形状を有し、その平板形状の両面は、受光部４４２の第１の面４４４から上段部４５１により繋がれた液晶パネル２に光を射出する射出面４７と、その射出面４７と反対側で受光部４４２の第２の面４４５から下段部４５２により繋がれ光が反射する反射面４８とに形成されている。
【０１４２】
これにより、光源が点光源３３である場合に無駄な部分がなく導光板４３４をより軽量化することができる。また、点光源３３から左右に広がる散乱光も受光部４４２の左右に延びる側面等で全反射され本体部４３に導かれるので、より点光源３３からの光を無駄なく液晶パネル２に供給できる。
【０１４３】
尚、本体部４３が上述のように厚さが略等しい平板形状に限られるものでないこと及び第１及び第２の面４４４，４４５の表面に反射層を設けてもよいことは、第１及び３の実施形態の場合と同様である。また、上述した段部が、例えば上段部４５１及び下段部４５２のいずれか一方だけであってもよいことも同様である。
【０１４４】
次に、点光源が２つある場合の変形例について説明する。
【０１４５】
図１６に示すように液晶装置５０１の導光板５３４は、例えば２つ点光源５３３ａ，５３３ｂからの光を夫々受ける受光部５４２ａ，５４２ｂと、その受光部５４２ａ，５４２ｂの点光源５３３ａ，５３３ｂと反対側に隣接し受光部５４２ａ，５４２ｂにより受けた光を導き液晶パネル２に射出する射出面４７と反射面４８とを有する本体部４３とを一体的に備える。
【０１４６】
また、受光部５４２ａ，５４２ｂと本体部４３との境界には、受光部側の厚さより本体側の厚さが薄くなるように例えば図１６に示すように液晶パネル側に上段部５５１とフレーム側に下段部５５２が形成されている。
【０１４７】
上段部５５１は、図１６に示すように点光源側端面５４６から所定の距離、少なくとも該上段部５５１が液晶パネル２の有効表示領域Ｂの中に入ってこないような距離で形成されている。更に上段部５５１は、その上段部５５１の点光源側端面５４６に平行な壁面で、受光部５４２の第２の基板側の面である第１の面５４４ａ，５４４ｂと本体側の射出面４７とを繋ぐように形成されている。
【０１４８】
また、下段部５５２は、例えば図１６に示すように上段部５５１に平面的に重なるようにフレーム側に形成されており、その下段部５５２の点光源側端面５４６に平行な壁面で、受光部５４２ａ，５４２ｂのフレーム側の面である第２の面５４５ａ，５４５ｂと本体側の反射面４８とを繋ぐように形成されている。
【０１４９】
更に受光部５４２ａ，５４２ｂは、例えば図１６に示すように本体部４３の射出面４７及び反射面４８の夫々に受光部５４２ａ，５４２ｂと本体部４３との境界を介し平面的に隣接し相対向する第１の面及び第２の面５４４ａ，５４４ｂ，５４５ａ，５４５ｂを有している。また、該第１の面及び第２の面５４４ａ，５４４ｂ，５４５ａ，５４５ｂは点光源側から図１６に示すように本体側に向かって平面的に左右に広がるように形成されおり、互いに平行となっている。すなわち、受光部５４２ａ，５４２ｂは点光源側端面５４６を上辺とし、本体部４３との境界を下辺とする２つの横（図１６中のＸ軸方向）に並んだ略台形を有している。
【０１５０】
また、点光源側端面５４６は例えば図１６に示すように点光源５３３ａ，５３３ｂの発光面４１の大きさと略一致するように形成されている。これにより、点光源５３３ａ，５３３ｂから射出した光のほとんどを受光部５４２ａ，５４２ｂに入射させながらプリズムシート３５，３６や拡散シート３７等が配置される本体部４３ではその厚さを薄くすることが可能となる。
【０１５１】
更に本体部４３は、例えば図１６に示すように厚さが略等しい平板状の形状を有し、その平板形状の両面は、受光部５４２ａ，５４２ｂの第１の面５４４ａ，５４４ｂから上段部５５１により繋がれた液晶パネル２に光を射出する射出面４７と、その射出面４７と反対側で受光部５４２ａ，５４２ｂの第２の面５４５ａ，５４５ｂから下段部５５２により繋がれ光が反射する反射面４８とに形成されている。
【０１５２】
これにより、光源が２つの点光源５３３ａ，５３３ｂである場合に無駄な部分がなく導光板５３４をより軽量化することができる。また、点光源５３３ａ，５３３ｂから左右に広がる散乱光も受光部５４２ａ，５４２ｂの左右に延びる側面等で全反射され本体部４３に導かれるので、より点光源５３３ａ，５３３ｂからの光を無駄なく液晶パネル２に供給できる。
【０１５３】
尚、本体部４３が上述のように厚さが略等しい平板形状に限られるものでないこと及び第１及び第２の面５４４ａ，５４４ｂ，５４５ａ，５４５ｂの表面に反射層を設けてもよいことは、第１及び３の実施形態の場合と同様である。また、上述した段部が、例えば上段部５５１及び下段部５５２のいずれか一方だけであってもよいことも同様である。
【０１５４】
（第４の実施形態・電子機器）
【０１５５】
次に、上述した液晶装置１，１０１，２０１，４０１，５０１のいずれかを備えた本発明の第４の実施形態に係る電子機器について説明する。尚、第１の実施形態の構成要素と共通する構成要素については、第１の実施形態の構成要素と同一の符号を付しその説明を省略する。
【０１５６】
図１７は本発明の第４の実施形態にかかる電子機器の表示制御系の全体構成を示す概略構成図である。
【０１５７】
電子機器３００は、表示制御系として例えば図１７に示すように液晶パネル２及び表示制御回路３９０などを備え、その表示制御回路３９０は表示情報出力源３９１、表示情報処理回路３９２、電源回路３９３及びタイミングジェネレータ３９４などを有する。
【０１５８】
また、液晶パネル２には表示領域Ｉを駆動する駆動回路３６１を有する。
【０１５９】
表示情報出力源３９１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などからなるメモリと、磁気記録ディスクや光記録ディスクなどからなるストレージユニットと、デジタル画像信号を同調出力する同調回路とを備えている。更に表示情報出力源３９１は、タイミングジェネレータ３９４によって生成された各種のクロック信号に基づいて、所定フォーマットの画像信号などの形で表示情報を表示情報処理回路３９２に供給するように構成されている。
【０１６０】
また、表示情報処理回路３９２はシリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫと共に駆動回路３６１へ供給する。また、電源回路３９３は、上述した各構成要素に夫々所定の電圧を供給する。
【０１６１】
このように本実施形態によれば、電子機器３００に備えられた例えば液晶装置１は、導光板３４を点光源３３からの光を受ける受光部４２とその受光部４２からの光を射出する面と反射する面とを有する本体部４３とを一体的に備え、受光部４２を該射出面４７に連続する第１の傾斜面４４と反射面４８に連続する第２の傾斜面４５とで互いに窄まるように形成したので、本体部４３の厚さを受光部４２の点光源側の厚さより薄くすることができる。その結果、その薄くなった所に光学シート、例えばプリズムシート３５等を配置すれば液晶装置１としての厚さをその光学シート分薄くすることができる。また、従来と同じ光量を確保しながら導光板３４の厚さを部分的に薄くしたので、液晶装置１の軽量化を図ることもできる。従って、その様な液晶装置１を備える電子機器３００は、より薄型化、小型化及び軽量化を図ることができることとなる。
【０１６２】
更に第１及び第２の傾斜部を平面的に点光源側端面４６から本体部側に向かって左右に広がるように形成したので、無駄な部分がなく導光板３４をより軽量化することができる。また、点光源３３から左右に広がる散乱光も受光部４２の左右に延びる側面等で全反射され本体部４３に導かれるので、より点光源３３からの光を無駄なく液晶パネル２に供給できる。
【０１６３】
また、受光部４２は、液晶パネル２の有効表示領域Ｂを除く領域に対応するように配置されているので、液晶パネル２の表示に寄与しない受光部４２が液晶パネル２の有効表示領域外に配置されることとなり、液晶パネル２で表示むら等が現れることを防ぐことができる。
【０１６４】
更に反射面上に反射シート３８が配置され、射出面上に拡散シート３７及びプリズムシート３５，３６が配置されており、夫々点光源側端面４６より受光部分だけ離間しているので、例えば反射面４８及び射出面４７の全面に反射シート３８等の光学シートを配置して液晶パネル２の有効表示領域Ｂの全面に表示むらの無い、しかも輝度を向上させた表示を可能としながら、該光学シートを最も導光板３４の薄い所に配置できるので、より液晶装置１の薄型化を図ることが可能となる。
【０１６５】
特に携帯可能な電子機器にあっては、小型で且つ正確な機能を発揮できることが求められており、より薄型軽量であり、点光源からの光を無駄なく液晶パネル２に供給できる本発明の意義は大きいといえる。
【０１６６】
具体的な電子機器としては、携帯電話機やパーソナルコンピュータなどの他に液晶装置が搭載されたタッチパネル、プロジェクタ、液晶テレビやビューファインダ型、モニタ直視型のビデオテープレコーダ、カーナビゲーション、ページャ、電子手帳、電卓、ワードプロセッサ、ワークステーション、テレビ電話、ＰＯＳ端末等が挙げられる。そして、これらの各種電子機器の表示部として、上述した例えば液晶装置１，１０１，２０１，４０１，５０１が適用可能なのは言うまでもない。
【０１６７】
なお、本発明の電気光学装置及び電子機器は、上述した例に限定されるものではなく、本発明の要旨を逸脱しない範囲において種々変更を加え得ることは勿論である。
【０１６８】
例えば、上述した電気光学装置はいずれも液晶パネルを有する液晶装置であるが、無機或は有機エレクトロルミネッセンス装置、プラズマディスプレイ装置、電気泳動ディスプレイ装置、電子放出素子を用いた装置（Ｆｉｅｌｄ  Ｅｍｉｓｓｉｏｎ  Ｄｉｓｐｌａｙ及びＳｕｒｆａｃｅ‐Ｃｏｎｄｕｃｔｉｏｎ  Ｅｌｅｃｔｒｏｎ‐Ｅｍｉｔｔｅｒ Ｄｉｓｐｌａｙ等）などの各種電気光学装置であってもよい。
【０１６９】
以上、好ましい実施形態を上げて本発明を説明したが、本発明は上述したいずれの実施形態にも限定されず、本発明の技術思想の範囲内で適宜変更して実施できる。
【０１７０】
例えば、上述の実施形態や変形例ではパッシブマトリクス型の液晶装置について説明したがこれに限られるものではなく、例えば薄膜トランジスタ素子アクティブマトリクス型、薄膜ダイオード素子アクティブマトリクス型の液晶装置であってもよい。更には、半透過型に限らず透過型であってもよい。これにより、多種多様な液晶装置についても、より薄型軽量で、点光源からの光を無駄なく液晶パネルに供給できることとなる。
【０１７１】
また、上述の実施形態や変形例では点光源を１つ又は２つの場合について説明したがこれに限られるものではなく、例えば３つ以上設けても良い。これにより、受光部の点光源側端面から本体部までの距離を更に短くすることができ、液晶装置をより小型化、軽量化することが可能となる。
【０１７２】
更に上述の実施形態や変形例ではプリズムシート３５，３６及び拡散シート３７が全て本体部４３の薄くなった所に収まるものとして説明したがこれに限られるものではなく、例えばそれらのシートの一部しか納まらない場合でもよい。これによっても、それらシートが収まった厚さ分だけ液晶装置を薄くし、軽量化を図ることができる。また、反射シート３８も同様であり、その一部の厚さのみ反射面４８に納まる場合でもよい。
【図面の簡単な説明】
【０１７３】
【図１】第１の実施形態に係る液晶装置の概略斜視図である。
【図２】図１のＡ−Ａ線断面図（ＩＣ及び点光源は切断されていない。）である。
【図３】図２の照明装置の説明図である。
【図４】第１の実施形態に係る点光源及び導光板の概略平面図である。
【図５】第１の実施形態に係る導光板が楔形状である場合の概略断面図である。
【図６】第１の実施形態に係る導光板の光の進み方を側面側から説明する図である。
【図７】第１の実施形態に係る導光板の光の進み方を平面側から説明する図である。
【図８】第２の実施形態に係る液晶装置の概略斜視図である。
【図９】図８の照明装置のＨ−Ｈ線断面図（点光源は切断されていない。）である。
【図１０】第２の実施形態に係る２つの点光源と導光板との概略平面図である。
【図１１】第３の実施形態に係る液晶装置の概略斜視図である。
【図１２】図１１のＪ−Ｊ線断面図（ＩＣ及び光源は切断されていない。）である。
【図１３】第３の実施形態に係る光源と導光板との概略説明図である。
【図１４】段部が片面しかない場合の導光板等の概略斜視図である。
【図１５】変形例の導光板等の概略斜視図である。
【図１６】変形例の点光源が２つある場合の導光板等の概略斜視図である。
【図１７】第４の実施形態に係る電子機器の表示制御系の概略構成図である。
【符号の説明】
【０１７４】
１，１０１，２０１，４０１，５０１  液晶装置、  ２  液晶パネル、  ３  回路基板、  ４，１０４，２０４  照明装置、  ５  シール材、  ６  第１の基板、  ７  第２の基板、  ８  液晶、  ９  枠、  １０  コモン電極、  １１，１５  オーバーコート層、  １２，１６  配向膜、  １３，１７  偏光板、  １４  セグメント電極、  １８  張出し部、  １９  コモン電極用配線、  ２０  セグメント電極用配線、  ２１  液晶駆動用ＩＣ、  ２２  電極用端子、  ２３  入力用端子、  ２４  外部用端子、  ２５  入力用配線、  ２６  遮光部材、  ２７  バンプ、  ２８  ＡＣＦ、  ２９  表示用開口部、  ３０  ベース基材、  ３１  配線パターン、  ３２  外部接続用ＡＣＦ、  ３３，１３３ａ，１３３ｂ，５３３ａ，５３３ｂ  点光源、  ３４，１３４，２３４，２３４´，４３４，５３４  導光板、  ３５，３６  プリズムシート、  ３７  拡散シート、  ３８，３８´  反射シート、  ３９  フレーム、  ４０  反射部材、  ４１  発光面、  ４２，１４２ａ，１４２ｂ，２４２，４４２，５４２ａ，５４２ｂ  受光部、  ４３  本体部、  ４４，１４４ａ，１４４ｂ  第１の傾斜面、  ４５，１４５ａ，１４５ｂ  第２の傾斜面、  ４６，２４６，４４６，５４６  点光源側端面、  ４７  射出面、  ４８  反射面、  ４９  第３の傾斜面、  ５０  凹部、  ２４４，４４４，５４４ａ，５４４ｂ  第１の面、  ２４５，４４５，５４５ａ，５４５ｂ  第２の面、  ２５１，４５１，５５１  上段部、  ２５２，４５２，５５２  下段部、  ３００  電子機器、  ３６１  駆動回路、  ３９０  表示制御回路
【図１】
2005339956.tif 000003
【図２】
2005339956.tif 000004
【図３】
2005339956.tif 000005
【図４】
2005339956.tif 000006
【図５】
2005339956.tif 000007
【図６】
2005339956.tif 000008
【図７】
2005339956.tif 000009
【図８】
2005339956.tif 000010
【図９】
2005339956.tif 000011
【図１０】
2005339956.tif 000012
【図１１】
2005339956.tif 000013
【図１２】
2005339956.tif 000014
【図１３】
2005339956.tif 000015
【図１４】
2005339956.tif 000016
【図１５】
2005339956.tif 000017
【図１６】
2005339956.tif 000018
【図１７】
2005339956.tif 000019